(57)【要約】 【課題】  本発明は、特に硬質材を切断する道具として実用性がありかつ汎用性のある切断具を提供することを目的とする。 【解決手段】  形態が左右対称に成る把柄１，１の外側面部２，２を肩面部３，３から巾広の垂直面形状に構成し、前記把柄の巾広外側面部における正面部と背面部においては、左右対称的に垂直面部と弯曲面部とを設け、前記把柄の内側部においては膨出面部を設けるとともにその下端部に凹み部を設け、前記底面部は前記外側面部の巾広垂直面形状が直角に巾狭の水平面形状に成る切断具の柄である。【選択図】    図７
2016123543.tif 000002
【特許請求の範囲】
【請求項１】
形態が左右対称に成る把柄の外側面部を肩面部から巾広の垂直面形状に構成し、前記把柄の巾広外側面部における正面部と背面部においては、左右対称的に垂直面部と弯曲面部とを設け、前記把柄の内側部においては膨出面部を設けるとともにその下端部に凹み部を設け、前記底面部は前記外側面部の巾広垂直面形状が直角に巾狭の水平面形状に成ることを特徴とする切断具の柄。
【請求項２】
請求項１の構成から成る調理用鋏の柄。
【請求項３】
請求項１の構成から成る金属板用鋏の柄。
【発明の詳細な説明】
【技術分野】
【０００１】
本発明は、人が生活や仕事などで日常使用する鋏その他の切断具の柄に関するものである。
【背景技術】
【０００２】
人は、例えば調理するためには主として包丁を使用するが、包丁には目的によって異なる種類があり魚の骨部分や蟹の甲羅や脚部分などの硬質材を切断するときには困難があり苦労することが多かったし、これらの硬質材を特に切断するための専用の鋏は特に存在しなかった。
【０００３】
また、同様の事実はニッパーその他の切断具といわれる道具についてもいえるのである。
【０００４】
そこで、従来公知のものとして存在している鋏としては、次に示すようなものしか見当たらず、本発明とは特に関係するようなものではなく、また実用性のないものである。
【先行技術文献】
【特許文献】
【０００５】
【特許文献１】特開２００６−１０２２８０号公報
【特許文献２】特開２００７−８９７８９号公報
【特許文献３】特開平１１−３４７２６３号公報
【特許文献４】実開平３−９５８７９号公報
【特許文献５】登実第３０２２９６９号公報
【発明の概要】
【発明が解決しようとする課題】
【０００６】
そこで、本発明は、特に硬質材を切断する道具として実用性がありかつ汎用性のあるものを提供することを目的とするものである。
【課題を解決するための手段】
【０００７】
本発明は、形態が左右対称に成る把柄の外側面部を肩面部から巾広の垂直面形状に構成し、前記把柄の巾広外側面部における正面部と背面部においては、左右対称的に垂直面部と弯曲面部とを設け、前記把柄の内側部においては膨出面部を設けるとともにその下端部に凹み部を設け、前記底面部は前記外側面部の巾広垂直面形状が直角に巾狭の水平面形状に成る切断具の柄である。
【発明の効果】
【０００８】
本発明に係る切断具は、人の２本の手腕の一方を把柄部の把握と保持固定とに使用し、他方を切断のための加圧力に使用するという、２本の手腕を合理的に役割分担して使用するものであり、そのような使用に耐え得る構造から成る柄体を製作しているものであるから、硬質材に属する魚骨や蟹甲羅などを何人も確実かつ迅速に切断して調理することができるようになり、また、薄い金属板なども同様の手法によって切断処理することができるのであり、従来の鋏その他の切断具には見られない画期的な効果を挙げることができるものである。
【図面の簡単な説明】
【０００９】
【図１】全体の斜視図
【図２】全体の正面図
【図３】全体の右側面図
【図４】全体の底面図
【図５】一定置時の斜視図
【図６】使用時の正面図
【図７】使用時の斜視図
【発明を実施するための形態】
【００１０】
いま図６に示す鋏について説明すれば、把柄部の各握り部に対し右手の親指部分と他指部分とはそれぞれ分けて挿入すると、親指は右側握り部の内側膨出面部の上側部に接触して外出するとともに親指の付け根の母指球は握り部の後方外側にある弯曲面部に当接し、手掌部は内側膨出面部の中央から下側部にかけて接触し、また人差し指は肩面部の上面角部に位置し、薬指及び中指はその内側膨出面部に接触し、小指は凹み部に入って接触する。
【００１１】
そこで、いま例えば、硬質骨を有する魚や蟹などの対象物を切断するときには、図５に示すように鋏身部を卓上に置く静止状態から、図７に示すように、まず右手の各指を前記したように各握り部に挿入した状態に把持して固定し、鋏身部を対象物に対して上下に挟んだ状態にし、右手の上面部に位置する把柄部における外側面部の垂直面部上に左手の手掌部を当接した後、加圧する。すると、鋏身部が作動して骨格などの硬質物を裁断するようになるのである。
【００１２】
このように、右手と左手とを合理的に使い分けすることによって両手の力量が交錯することになるから、切断が十分可能となる。この作用は換言すれば、握り部の一方を作業台上に載置し、一対になっている他方の握り部に荷重をかけることによって裁断を可能かつ容易にする効果を発揮することを意味するのである。
【００１３】
また、本鋏体にあっては、左右の把柄部に対して左右の手腕をそれぞれ使用することによって、薄金属板などの硬質物の切断に対しても容易に使用することができるのである。
【実施例】
【００１４】
以下、本発明の実施例を鋏について説明する。
【００１５】
１，１は形態が左右対称に成る握り部を有して成る把柄部で、この各把柄部の外側面部２，２は肩面部３，３から巾広の垂直面形状に形成する。
【００１６】
４，４は前記把柄部１，１の巾広肩面部３，３から外側面部２，２の一方の正面部に形成した垂直面部で、この垂直面部と反対の背面部には弯曲面部５，５を形成し、このように成る片把柄部の形状は垂直面部４，４と弯曲面部５，５とを左右対称位置に設けて成るものである。
【００１７】
６，６は前記把柄部１，１の握り部で、この握り部の内側部においては膨出面部７，７を形成するとともにその下端部には凹み部８，８を形成する。
【００１８】
９，９は前記把柄部１，１の底面部で、この底面部は前記外側面部２，２の巾広垂直面形状から直角に巾狭の水平面形状に形成する。
【００１９】
１０は前記両把柄部１，１の上端部適所に固着する鋏身部で、この鋏身部の形態は問わず、切断する対象物の違いによって構成する様々の形態に成るものを取付けることにする。
【符号の説明】
【００２０】
１，１                        把柄部
２，２                        外側面部
３，３                        肩面部
４，４                        垂直面部
５，５                        弯曲面部
６，６                        握り部
７，７                        膨出面部
８，８                        凹み部
９，９                        底面部
１０                          鋏身部
【図１】
2016123543.tif 000003
【図２】
2016123543.tif 000004
【図３】
2016123543.tif 000005
【図４】
2016123543.tif 000006
【図５】
2016123543.tif 000007
【図６】
2016123543.tif 000008
【図７】
2016123543.tif 000009